(57)【要約】【課題】著作権の不正なデータの再生を禁止し、著作権の保護に貢献するディジタルオーディオデータ作成者認証装置、再生装置および記録媒体を提供することにある。【解決手段】送信側１１では、  時間軸方向に分割されたディジタルオーディオデータａの各分割単位に、作成者固有情報が透かし挿入される。一方、受信側では、透かし情報が抽出され、検証部１５で該透かし情報が正当なものであるか否か検証される。再生部１６では、該透かし情報が正当であると判断された時のみ、ディジタルオーディオ情報の再生を行う。【選択図】        図１
2004252050.tif 000002
【特許請求の範囲】
【請求項１】
ディジタルオーディオデータを時間軸方向に分割する手段と、
該分割単位毎に、かつそれぞれの特定の部分に、該オーディオデータ作成者の固有情報を上書きする手段とを具備したことを特徴とするディジタルオーディオデータ作成者認証装置。
【請求項２】
請求項１に記載のディジタルオーディオデータ作成者認証装置において、
前記特定部分は、文法上の特定の位置であることを特徴とするディジタルオーディオデータ作成者認証装置。
【請求項３】
請求項２に記載のディジタルオーディオデータ作成者認証装置において、
前記文法上の特定の位置は、オーディオデータの特定情報の振幅情報、オーディオデータの量子化係数、またはオーディオデータの振幅情報を基に決められた、該オーディオデータの劣化度の小さい位置であることを特徴とするディジタルオーディオデータ作成者認証装置。
【請求項４】
ディジタルオーディオデータに、前記請求項１，２または３により書き込まれた固有の情報を、前記特定部分から抽出する手段と、
該特定の部分から抽出された情報が、オーディオデータ作成者の固有情報と一致するか否かを判断する手段と、
一致した場合にはディジタルオーディオデータのファイル再生を許可し、不一致の場合には許可しないことを決定する手段とを具備したことを特徴とするディジタルオーディオデータ再生装置。
【請求項５】
時間軸方向に分割されたディジタルオーディオデータの各分割単位毎であって、かつそれぞれの特定の部分に、オーディオデータ作成者の固有情報を上書きされたディジタルオーディオデータが記憶されたコンピュータ読み取り可能な記録媒体。
【発明の詳細な説明】
【０００１】
【発明の属する技術分野】
この発明は、ディジタルオーディオデータ作成者認証装置、再生装置および記録媒体に関し、特に正当な作成者によって作成されたディジタルオーディオデータに対してのみ、受信側にて所定のサービスを提供するようにしたディジタルオーディオデータ作成者認証装置、再生装置および記録媒体に関する。
【０００２】
【従来の技術】
ディジタルオーディオは、原音と殆ど変わらない音質で容易にコピーを作成することができるため、その流通には目覚ましいものがある。また、ディジタルオーディオの符号化方式として、ＩＳＯ／ＩＥＣで規定されているＭＰＥＧ−ａｕｄｉｏ  Ｌａｙｅｒ  ＩＩＩ（通称ＭＰ３）やＡｄｖａｎｃｅｄ  Ａｕｄｉｏ  Ｃｏｄｉｎｇ（通称ＡＡＣ）などを利用することにより、原音と殆ど変わらない音質のオーディオデータを、インターネットなどを通して容易に流通させることが可能となっている。
【０００３】
一方、オーディオデータには著作権が含まれることが多く、このような技術の発展により、不正に著作権の存在するオーディオデータを流通させているケースが少なくない。インターネット上においてこのような不正なデータが流通しているか否かを判断するために、（１）オーディオデータに何らかの固有情報を付加したり、（２）固有情報すなわち電子透かしを埋め込んだりすることが行われている。
【０００４】
【発明が解決しようとする課題】
しかしながら、前記（１）の方法では、元のデータに対して特別な情報が付加されるため、元のデータの形式を知っている人間からは攻撃を受けやすいという問題がある。また、前記（２）の方法は、電子透かし情報が実際に埋め込まれているか否かを確認するために、該電子透かし情報を埋め込まれたディジタルオーディオデータを復号し、アナログ化する手段により達成しているものが殆どである。しかし、従来は該手段の処理能力があまり高くなく、不正なデータの検出精度が良好でないという問題があった。
【０００５】
本発明は、前記した従来技術に鑑みてなされたものであり、その目的は、著作権などが犯された不正なオーディオデータを精度良く検出できるディジタルオーディオデータ作成者認証装置、再生装置および記録媒体を提供することにある。また、他の目的は、著作権の不正なデータの再生を禁止し、著作権の保護に貢献するディジタルオーディオデータ作成者認証装置、再生装置および記録媒体を提供することにある。
【０００６】
【課題を解決するための手段】
前記した目的を達成するために、本発明は、送信側に、ディジタルオーディオデータを時間軸方向に分割する手段と、該分割単位毎に、かつそれぞれの特定の部分に、該オーディオデータ作成者の固有情報を上書きする手段とを具備した点に第１の特徴がある。この特徴によれば、オーディオデータ作成者を特定できるデータを含むディジタルオーディオデータを提供することができるようになる。
【０００７】
また、本発明は、再生側に、書き込まれた固有の情報を、前記特定部分から抽出する手段と、該特定の部分から抽出された情報が、オーディオデータ作成者の固有情報と一致するか否かを判断する手段と、一致した場合にはディジタルオーディオデータのファイル再生を許可し、不一致の場合には許可しないことを決定する手段とを具備した点に第２の特徴がある。この特徴によれば、処理能力の低い再生装置によっても、正当な作成者により作成された正当なオーディオデータのみを再生し、不正なオーディオデータは再生を禁止することができるようになる。したがって、オーディオデータ作成者の著作権を保護する再生装置、例えば携帯電話を提供することができるようになる。
【０００８】
また、本発明は、時間軸方向に分割されたディジタルオーディオデータの各分割単位毎であって、かつそれぞれの特定の部分に、オーディオデータ作成者の固有情報を上書きされたディジタルオーディオデータが記憶されたコンピュータ読み取り可能な記録媒体を提供する点に第３の特徴がある。この特徴によれば、オーディオデータ作成者の著作権を保護するに好適なオーディオデータを記憶する記録媒体を提供できるようになる。
【０００９】
【発明の実施の形態】
以下に、本発明を図面を参照して詳細に説明する。図１は、本発明の一実施形態の概略のシステムを示すブロック図である。
【００１０】
送信側１では、作成者固有情報（ｘビット；ｘは正の整数）がスクランブル部２でスクランブルされ、スクランブルされたｙビット（ｙは正の整数）のデータが透かし挿入部４に出力される。このスクランブルは、例えば、該作成者固有情報を固定ビット列と排他的論理和処理（ＸＯＲ）することにより行うことができる。なお、このスクランブルは必ずしも必要でなく、省略してもよい。
【００１１】
一方、ディジタルオーディオデータａは分割部３に入力され、時間軸方向に分割される。この分割は、例えば図２（ａ）に示されているように、予め定められた一定時間ｔ秒毎に行うのが好ましい。この分割により、同図（ｂ）に示されているような構成のフレームが複数個形成される。１個のフレームは、図示されているように、ヘッダ、サイド情報およびデータ部から構成されている。
【００１２】
透かし挿入部４は、前記分割部３で分割されたフレームのデータ部に、スクランブルされた前記作成者固有情報を透かし情報として埋め込むまたは上書きする。この埋め込みは、ディジタルオーディオデータの品質あるいは音質を劣化させないため、１フレーム当たり１ビットを埋め込むのが好ましい（図２（ｃ）参照）が、これに限定されるものではなく複数ビットを埋め込んでも良い。また、該埋め込みは、特定部分におけるビット情報と置換するのが好ましい。なお、該透かし情報を埋め込む特定部分は、送信側１と受信側１１とで、予め取り決めておくものとする。
【００１３】
前記特定部分は、文法上の特定の位置であることが好適である。該特定の位置は、オーディオデータの特定周波数の振幅情報、量子化係数、あるいは振幅情報を基に決めることができる。前記特定周波数の振幅情報に関しては、例えばＭＰＥＧ−１  Ａｕｄｉｏ  Ｌａｙｅｒ−１において各フレームのスケールファクタのうち最大周波数成分に対応するスケールファクタの最下位を、前記量子化係数に関しては、例えばＭＰＥＧ−１  Ａｕｄｉｏ  Ｌａｙｅｒ−１において各フレームで周波数毎に割当てられたサンプルのうち、ある特定の周波数のサンプルの最下位を、また前記振幅情報に関しては、例えば非圧縮ディジタルオーディオデータの各サンプルの最下位を特定の位置とすることができる。該特定の位置を前記のように決定すると、透かし情報を埋め込んだことによるオーディオデータへの影響を極力低減でき、該オーディオデータの劣化を極力防止できるようになる。
【００１４】
上記のようにして透かし情報が挿入されたオーディオデータは、データ出力部５から、透かし入りオーディオデータｄ（図２（ｄ）参照）として出力される。なお、前記透かし情報がｙビットの場合で１フレーム当たり１ビットを埋め込む場合には、オーディオデータのフレーム数がｙ個以上の時には、ｙ個より後のフレームには透かし情報は埋め込まれないことになる。
【００１５】
前記透かし入りオーディオデータｄは、無線で送信される。または、コンピュータで読み取り可能な記録媒体（ＣＤＲＯＭ等）に蓄積される。受信側１１（例えば、携帯電話などの移動機）は、該透かし入りオーディオデータｄを受信部１２で受信する。また、前記記録媒体に記録された透かし入りオーディオデータｄを再生する場合には、該受信部１２に代えて、記録媒体読み取り部が使用される。
【００１６】
受信部１２で受信された透かし入りオーディオデータｄは、透かし抽出部１３と再生部１６に送られる。透かし抽出部１３は、前記透かしデータがオーディオデータのどの部分に挿入されているかを予め知っているので、前記特定部分のデータを正しく抽出する。スクランブル解除部１４は、該作成者固有情報がスクランブルされて挿入されている場合にはスクランブルを解除する。検証部１５は、該スクランブルされた透かし情報が前記作成者固有情報と一致するか否かの判断を行い、一致すると判断した場合には、著作権のある正当なオーディオデータであると判断して、再生部１６における再生を許可する。逆に、不一致と判断した場合には、著作権を犯した不正なオーディオデータであると判断して、再生を許可しない。
【００１７】
本発明者が、本実施形態に基づいて実験をしたところ、前記受信側の検証部１５において、正しい作成者固有情報を埋め込んだ正当なコンテンツは１００％正当と判断でき、不正な作成者固有情報を埋め込んだ不正なコンテンツはほぼ１００％不正と判断できた。
【００１８】
なお、本発明のような機能を持たない再生装置、すなわち前記透かし抽出部１３や検証部１５等を有しない再生装置に対しては、オーディオデータの品質が若干低下するものの、常に再生可能となる。したがって、送信側に本発明を実施した場合、受信側に本発明の方式と異なる再生装置、例えば他のメーカの携帯電話を用いても、オーディオデータは再生でき、実用上何らの支障は生じない。ただし、前記方式の異なる再生装置で再生した場合には、作成者が不正なオーディオデータも再生されてしまうことになる。
【００１９】
【発明の効果】
以上の説明から明らかなように、本発明によれば、正当な作成者によって作成された正当なオーディオデータのみが再生可能になるので、著作権を保護するのに好適な装置を提供できるようになる。また、予め定められた位置に、作成者の固有情報が埋め込まれているか否かのみを検証すればよいので、データの処理能力があまり高くないシステムによっても実現できるようになる。また、著作権を保護するのに好適なオーディオデータを記憶する記録媒体を提供することができるようになる。
【図面の簡単な説明】
【図１】本発明の一実施形態の概略の構成を示すブロック図である。
【図２】図１の送信側で作成されるデータ構造を説明するための図である。
【符号の説明】
１・・・送信側、３・・・分割部、４・・・透かし挿入部、５・・・データ出力部、１１・・・受信側、１２・・・受信部、１３・・・透かし抽出部、１５・・・検証部、１６・・・再生部。
【図１】
2004252050.tif 000003
【図２】
2004252050.tif 000004